(57)【要約】    【課題】  高ズーム比で良好なる画像を容易に得ることができ、しかも撮像装置に適用したとき撮像装置の厚みを薄くすることができるズームレンズを得る。    【解決手段】  物体側より像側へ順に、正、正、負の屈折力の第１、第２、第３レンズ群と後群からなり、光路を折り曲げる反射手段を有し、第１、第２レンズ群の間隔は増大した後に減少し、反射手段がプリズムからなるときは広角端における第３レンズ群の最も物体側のレンズ面からプリズムの物体側の面までの距離ａ、プリズムの光軸方向の長さＰＬ、反射手段が反射ミラーからなるときは広角端における第３レンズ群の最も物体側のレンズ面から反射ミラーと光軸との交点までの距離ａ、反射ミラーの有効径の１／√２をＰＬ、広角端における第３レンズ群の最も物体側のレンズ面から像面までの距離Ｌ、第３レンズ群の焦点距離ｆｎを各々適切に設定する。【選択図】    図１
2014081428.tif 000002
【特許請求の範囲】
【請求項１】
物体側より像側へ順に、正の屈折力の第１レンズ群、正の屈折力の第２レンズ群、負の屈折力の第３レンズ群、１以上のレンズ群を有する後群からなり、前記第３レンズ群のレンズの間又は前記第３レンズ群と前記後群との間に光路を折り曲げる反射手段を有し、
ズーミングに際してレンズ群間隔が変化するズームレンズであって、広角端から望遠端へのズーミングに際して前記第１レンズ群と前記第２レンズ群の間隔は増大した後に減少し、前記反射手段がプリズムからなるときは広角端における前記第３レンズ群の最も物体側のレンズ面から前記プリズムの物体側の面までの距離をａ、前記プリズムの光軸方向の長さをＰＬ、前記反射手段が反射ミラーからなるときは広角端における前記第３レンズ群の最も物体側のレンズ面から該反射ミラーと光軸との交点までの距離をａ、前記反射ミラーの有効径の１／√２をＰＬ、広角端における前記第３レンズ群の最も物体側のレンズ面から像面までの距離をＬ、前記第３レンズ群の焦点距離をｆｎとするとき、
０．０３＜ａ／Ｌ＜０．４０
０．７＜｜ｆｎ／ＰＬ｜＜１．２
なる条件式を満足することを特徴とするズームレンズ。
【請求項２】
ズーミングに際しての前記第１レンズ群と前記第２レンズ群の間隔の最大値をＤ１２ｍａｘ、広角端における前記第１レンズ群の最も物体側のレンズ面から前記第２レンズ群の最も像側のレンズ面までの長さをＤ１２Ｗとするとき、
０．０５＜Ｄ１２ｍａｘ／Ｄ１２Ｗ＜０．８０
なる条件式を満足することを特徴とする請求項１に記載のズームレンズ。
【請求項３】
前記第２レンズ群の焦点距離をｆ２、広角端における全系の焦点距離をｆｗとするとき、
５＜ｆ２／ｆｗ＜１５
なる条件式を満足することを特徴とする請求項１又は２に記載のズームレンズ。
【請求項４】
前記第１レンズ群と前記第２レンズ群は、いずれも２以下のレンズよりなることを特徴とする請求項１乃至３のいずれか１項に記載のズームレンズ。
【請求項５】
前記後群は、物体側から像側へ順に、正の屈折力の第４レンズ群、正の屈折力の第５レンズ群よりなることを特徴とする請求項１乃至４のいずれか１項に記載のズームレンズ。
【請求項６】
前記後群は、物体側より像側へ順に、負の屈折力の第４レンズ群、正の屈折力の第５レンズ群、正の屈折力の第６レンズ群、負の屈折力の第７レンズ群、正の屈折力の第８レンズ群よりなることを特徴とする請求項１乃至４のいずれか１項に記載のズームレンズ。
【請求項７】
請求項１乃至６のいずれか１項に記載のズームレンズと、該ズームレンズによって形成された像を受光する固体撮像素子を有することを特徴とする撮像装置。
【発明の詳細な説明】
【技術分野】
【０００１】
本発明はデジタルスチルカメラ、ビデオカメラ等の撮像装置に好適な高ズーム比のズームレンズに関する。特に撮影装置に適用したとき撮像装置の厚みを薄くするのが容易な携帯性に優れたズームレンズに関する。
【背景技術】
【０００２】
最近、撮像装置に用いられる撮影光学系は、高ズーム比で、撮像装置に適用したとき撮像装置の厚みを薄くできるズームレンズであることが求められている。撮像装置の厚みを薄くするために、撮影光学系の光軸を９０°折り曲げる反射手段を光路中に配置した、屈曲式のズームレンズが知られている（特許文献１，２）。
【０００３】
特許文献１では物体側から像側へ順に、正、負、正、正、負、正の屈折力の第１乃至第
６レンズ群からなり、第３レンズ群に光路を略９０度に折り曲げる反射ミラーよりなる反
射手段を配したズーム比１０程度の屈曲式のズームレンズを開示している。特許文献２では、正の屈折力の第１レンズ群、負の屈折力の第２レンズ群、反射手段、正の屈折力の第３レンズ群、正の屈折力の第４レンズ群を有する屈曲式のズームレンズを開示している。
【先行技術文献】
【特許文献】
【０００４】
【特許文献１】特開２００８−１０２３９８号公報
【特許文献２】特開２００６−２５９６８５号公報
【発明の概要】
【発明が解決しようとする課題】
【０００５】
撮像装置の厚みを薄くするためには反射手段を光路中に設けるのが効果的である。しかしながらズームレンズの光路中に光路を折り曲げる反射手段を設けてカメラの厚さを薄くしようとすると、変倍用のレンズ群の移動範囲が制限されて高ズーム比化が困難になる。変倍用のレンズ群の移動範囲を制限しつつ、高ズーム比化を図るためには変倍用のレンズ群の屈折力を高める必要がある。しかしながら変倍用のレンズ群の屈折力を高めると中間のズーム領域において像面湾曲が増大し、全ズーム範囲にわたり高い光学性能を得るのが困難になってくる。
【０００６】
撮像装置に適用したとき、撮像装置の厚みを薄くしつつ、高ズーム比で全ズーム範囲にわたり高い光学性能を得るにはズームレンズのレンズ構成を適切に設定することが重要になってくる。例えば、レンズ群の数、各レンズ群の屈折力配置、ズーミングの際の各レンズ群の移動条件等のレンズ構成や反射手段の配置等を適切に設定することが重要になってくる。これらの構成が適切でないと、上記の効果を得ることが難しい。
【０００７】
特許文献１では、高ズーム比化を図るため反射手段より物体側の第１レンズ群と第２レンズ群の変倍分担を強くしている。特許文献１において第２レンズ群の移動量を小さくしつつ、第２レンズ群の屈折力をより強くして、高ズーム比化を図ろうとすると像面彎曲が増大し、この補正が困難となる。特許文献２においても高ズーム比化を図るために第２レンズ群の移動量を小さくしつつ、第２レンズ群の屈折力を強くして、高ズーム比化を図ろうとすると像面彎曲が増大し、この補正が困難となる。
【０００８】
本発明は、高ズーム比で良好なる画像を容易に得ることができ、しかも撮像装置に適用したとき撮像装置の厚みを薄くすることができるズームレンズ及びそれを用いた撮像装置を提供することを目的とする。
【課題を解決するための手段】
【０００９】
本発明のズームレンズは、物体側より像側へ順に、正の屈折力の第１レンズ群、正の屈折力の第２レンズ群、負の屈折力の第３レンズ群、１以上のレンズ群を有する後群からなり、前記第３レンズ群のレンズの間又は前記第３レンズ群と前記後群との間に光路を折り曲げる反射手段を有し、ズーミングに際してレンズ群間隔が変化するズームレンズであって、広角端から望遠端へのズーミングに際して前記第１レンズ群と前記第２レンズ群の間隔は増大した後に減少し、前記反射手段がプリズムからなるときは広角端における前記第３レンズ群の最も物体側のレンズ面から前記プリズムの物体側の面までの距離をａ、前記プリズムの光軸方向の長さをＰＬ、前記反射手段が反射ミラーからなるときは広角端における前記第３レンズ群の最も物体側のレンズ面から該反射ミラーと光軸との交点までの距離をａ、前記反射ミラーの有効径の１／√２をＰＬ、広角端における前記第３レンズ群の最も物体側のレンズ面から像面までの距離をＬ、前記第３レンズ群の焦点距離をｆｎとするとき、
０．０３＜ａ／Ｌ＜０．４０
０．７＜｜ｆｎ／ＰＬ｜＜１．２
なる条件式を満足することを特徴としている。
【発明の効果】
【００１０】
本発明によれば、高ズーム比で良好なる画像を容易に得ることができ、しかも撮像装置に適用したとき撮像装置の厚みを薄くすることができるズームレンズが得られる。
【図面の簡単な説明】
【００１１】
【図１】本発明の実施例１の光路を展開したときの広角端におけるレンズ断面図
【図２】本発明の実施例１の（Ａ）は広角端、（Ｂ）は望遠端における収差図
【図３】本発明の実施例２の光路を展開したときの広角端におけるレンズ断面図
【図４】本発明の実施例２の（Ａ）は広角端、（Ｂ）は望遠端における収差図
【図５】本発明の実施例３の光路を展開したときの広角端におけるレンズ断面図
【図６】本発明の実施例３の（Ａ）は広角端、（Ｂ）は望遠端における収差図
【図７】本発明の実施例４の光路を展開したときの広角端におけるレンズ断面図
【図８】本発明の実施例４の（Ａ）は広角端、（Ｂ）は望遠端における収差図
【図９】本発明の実施例５の光路を展開したときの広角端におけるレンズ断面図
【図１０】本発明の実施例５の（Ａ）は広角端、（Ｂ）はは望遠端における収差図
【図１１】本発明の実施例１のズームレンズの広角端におけるレンズ断面図
【図１２】本発明の撮像装置の要部概略図
【発明を実施するための形態】
【００１２】
以下に、本発明の好ましい実施の形態を、添付の図面に基づいて説明する。本発明のズームレンズは、物体側より像側へ順に、正の屈折力の第１レンズ群、正の屈折力の第２レンズ群、負の屈折力の第３レンズ群、１以上のレンズ群を有する後群からなっている。そして第３レンズ群のレンズの間又は第３レンズ群と後群との間に光路を折り曲げる内面反射を利用したプリズム又は反射ミラー等からなる反射手段（反射部材）を有している。ズーミングに際してはレンズ群間隔が変化する。
【００１３】
図１は本発明の実施例１のズームレンズの光路を展開したときの広角端（短焦点距離端）におけるレンズ断面図である。図２（Ａ）、（Ｂ）はそれぞれ実施例１のズームレンズの広角端、望遠端（長焦点距離端）における収差図である。実施例１はズーム比９．９６、Ｆナンバー２．８８〜５．４２である。
【００１４】
図３は本発明の実施例２のズームレンズの光路を展開したときの広角端におけるレンズ断面図である。図４（Ａ）、（Ｂ）はそれぞれ実施例２のズームレンズの広角端、望遠端における収差図である。実施例２はズーム比１１．４０、Ｆナンバー３．２２〜６．３２である。図５は本発明の実施例３のズームレンズの光路を展開したときの広角端におけるレンズ断面図である。図６（Ａ）、（Ｂ）はそれぞれ実施例３のズームレンズの広角端、望遠端における収差図である。実施例３はズーム比９．４６、Ｆナンバー３．５０〜５．７４である。
【００１５】
図７は本発明の実施例４のズームレンズの光路を展開したときの広角端におけるレンズ断面図である。図８（Ａ）、（Ｂ）はそれぞれ実施例４のズームレンズの広角端、望遠端における収差図である。実施例４はズーム比１１．３８、Ｆナンバー３．３３〜６．５４である。図９は本発明の実施例５のズームレンズの光路を展開したときの広角端におけるレンズ断面図である。図１０（Ａ）、（Ｂ）はそれぞれ実施例５のズームレンズの広角端、望遠端における収差図である。実施例３はズーム比１１．３６、Ｆナンバー３．３３〜５．８３である。
【００１６】
図１１は実施例１のズームレンズの広角端において反射手段で光軸を折り曲げた撮影状態の説明図である。図１２は本発明のズームレンズを備えるデジタルカメラ（撮像装置）の要部概略図である。
【００１７】
各実施例のズームレンズは撮像装置に用いられる。光路を展開したレンズ断面図において、左方が物体側（前方）で、右方が像側（後方）である。尚、各実施例のズームレンズをプロジェクター等の投射レンズとして用いるときは、光路を展開したレンズ断面図において、左方がスクリーン、右方が被投射画像となる。レンズ断面図において、Ｌｉは第ｉレンズ群、ＬＲは１以上のレンズ群を有する後群である。ＰＲは内面反射を利用したプリズム又は反射ミラーよりなる反射手段である。
【００１８】
反射手段ＰＲはズームレンズの光軸を９０度（９０度±１０度以内）折り曲げている。ＳＰは開口絞り（Ｆナンバー決定絞り）である。ＧＢは光学フィルター、フェースプレート等に相当する光学ブロックである。ＩＰは像面であり、ビデオカメラやデジタルカメラの撮影光学系として使用する際にはＣＣＤセンサやＣＭＯＳセンサ等の固体撮像素子（光電変換素子）の撮像面に相当し、銀塩フィルム用カメラの撮像光学系として使用する際にはフィルム面に相当する。
【００１９】
矢印は広角端から望遠端へのズーミングにおける各レンズ群の移動軌跡を示している。収差図において、ＦｎｏはＦナンバー、ωは撮影半画角（度）である。球面収差図において実線のｄはｄ線、２点鎖線のｇはｇ線である。非点収差図においてΔＳはｄ線のサジタル像面、ΔＭはｄ線のメリディオナル像面である。倍率色収差はｇ線によって表している。各実施例において広角端と望遠端は変倍用のレンズ群が機構上、光軸上を移動可能な範囲の両端に位置したときのズーム位置をいう。
【００２０】
図１を参照して、本発明の実施例１のズームレンズのレンズ構成について説明する。実施例１は、物体側から像側へ順に、正の屈折力の第１レンズ群Ｌ１、正の屈折力の第２レンズ群Ｌ２、光路折り曲げ用の反射手段ＰＲを有する負の屈折力の第３レンズ群Ｌ３、開口絞りＳＰを有している。更に正の屈折力の第４レンズ群Ｌ４、正の屈折力の第５レンズ群Ｌ５を有している。
【００２１】
後群ＬＲは第４レンズ群Ｌ４、第５レンズ群Ｌ５よりなっている。実施例１は５群ズームレンズである。ズーミングに際し、第１レンズ群Ｌ１、第２レンズ群Ｌ２、第４レンズ群Ｌ４、第５レンズ群Ｌ５が移動する。第３レンズ群Ｌ３は不動である。具体的には、広角端から望遠端へのズーミングに際して第１レンズ群Ｌ１と第２レンズ群Ｌ２は物体側へ非直線的に移動する。第５レンズ群Ｌ５は物体側へ凸状の軌跡を描いて移動する。
【００２２】
図３を参照して、本発明の実施例２のズームレンズのレンズ構成について説明する。実施例２は、物体側から像側へ順に、正の屈折力の第１レンズ群Ｌ１、正の屈折力の第２レンズ群Ｌ２、負の屈折力の第３レンズ群Ｌ３、光路折り曲げ用の反射手段ＰＲを有する。更に負の屈折力の第４レンズ群Ｌ４、正の屈折力の第５レンズ群Ｌ５、正の屈折力の第６レンズ群Ｌ６、負の屈折力の第７レンズ群Ｌ７、正の屈折力の第８レンズ群Ｌ８を有している。
【００２３】
後群ＬＲは第４レンズ群Ｌ４乃至第８レンズ群Ｌ８よりなっている。実施例２は８群ズームレンズである。ズーミングに際して第１レンズ群Ｌ１、第２レンズ群Ｌ２、第５レンズ群Ｌ５、第６レンズ群Ｌ６、第８レンズ群Ｌ８が移動する。反射手段ＰＲ、第４レンズ群Ｌ４、第７レンズ群Ｌ７は不動である。
【００２４】
具体的には広角端から望遠端へのズーミングに際して第１レンズ群Ｌ１と第２レンズ群Ｌ２は物体側へ非直線的に移動する。第３レンズ群Ｌ３は像側へ移動する。反射手段ＰＲと第４レンズ群Ｌ４は不動である。第５レンズ群Ｌ５と第６レンズ群Ｌ６は物体側へ移動する。第７レンズ群Ｌ７は不動である。第８レンズ群Ｌ８は物体側へ凸状の軌跡を描いて移動する。実施例２は実施例１と比較して、より広画角化を達成している。ズーミングに際して６つのレンズ群を移動させて、ズーム比約１２と高ズーム比化を達成している。
【００２５】
図５を参照して、本発明の実施例３のズームレンズのレンズ構成につい説明する。実施例３は広角端から望遠端へのズーミングに際して第８レンズ群Ｌ８は像側へ移動した後、物体側へ移動し、その後像側へ移動する点が実施例２と異なっている。この他、実施例３においてレンズ群の数、各レンズ群の屈折力、ズーミングの際に移動するレンズ群等のズームタイプ及び反射手段の光路中の配置は実施例２と同じである。
【００２６】
図７を参照して、本発明の実施例４のズームレンズのンズ構成について説明する。実施例４は、物体側から像側へ順に、正の屈折力の第１レンズ群Ｌ１、正の屈折力の第２レンズ群Ｌ２、負の屈折力の第３レンズ群Ｌ３、光路折り曲げ用の反射ミラーよりなる反射手段ＰＲを有している。更に負の屈折力の第４レンズ群Ｌ４、正の屈折力の第５レンズ群Ｌ５、正の屈折力の第６レンズ群Ｌ６、負の屈折力の第７レンズ群Ｌ７、正の屈折力の第８レンズ群Ｌ８を有している。
【００２７】
実施例４は８群ズームレンズである。実施例４は反射手段ＰＲとして反射ミラーを用いた点が実施例３と異なっており、その他の構成（ズームタイプ等）は実施例３と同じである。図９を参照して、本発明の実施例５のズームレンズのレンズ構成について説明する。実施例５において、レンズ群の数、各レンズ群の屈折力、ズーミングの際に移動するレンズ群等のズームタイプ及び反射手段の光路中の配置は実施例３と同じである。図１１は図１の実施例１のズームレンズの光路を反射手段ＰＲで９０度折り曲げた状態を示し、各部材に付した符番は図１と同じである。
【００２８】
各実施例においては、ズーミングに際して第１レンズ群Ｌ１と第２レンズ群Ｌ２の間隔は増大した後に減少している。反射手段ＰＲが内面反射を利用したプリズムからなるときは広角端における第３レンズ群Ｌ３の最も物体側のレンズ面からプリズムの物体側の面までの距離をａとする。
【００２９】
プリズムの光軸方向の長さをＰＬとする。反射手段ＰＲが反射ミラーからなるときは広角端における第３レンズ群Ｌ３の最も物体側のレンズ面から反射ミラーと光軸との交点までの距離をａとする。反射ミラーの有効径の１／√２をＰＬとする。広角端における第３レンズ群Ｌ３の最も物体側のレンズ面から像面までの距離をＬ、第３レンズ群Ｌ３の焦点距離をｆｎとする。このとき、
０．０３＜ａ／Ｌ＜０．４０      ・・・（１）
０．７＜｜ｆｎ／ＰＬ｜＜１．２  ・・・（２）
なる条件式を満足している。
【００３０】
次に前述の各条件式の技術的意味について説明する。条件式（１）は反射手段ＰＲの光軸方向の位置を規定している。条件式（１）を満足する位置に配置にする事で高ズーム比化を図りつつ、撮像装置（カメラ）に適用したときの撮像装置の厚さ（以下「カメラ厚」ともいう。）を効果的に薄くしている。条件式（１）の上限値を超えると、反射手段ＰＲの位置が像側に寄りすぎ、カメラ厚の短縮が不十分となる。また下限値を超えると、反射手段ＰＲの位置が物体側に寄りすぎ、カメラに適用したときカメラ幅が増大する傾向となるために好ましくない。
【００３１】
更に好ましくは条件式（１）の数値範囲を次の如く設定すれば、カメラ幅の短縮と高ズーム比化が容易になる。
【００３２】
０．０３＜ａ／Ｌ＜０．３０    ・・・（１ａ）
条件式（２）は反射手段ＰＲの厚みと第３レンズ群Ｌ３の焦点距離の比を規定している。条件式（２）の上限値を超えて第３レンズ群Ｌ３の焦点距離の絶対値が大きくなりすぎると、高ズーム比化が困難になる。また下限値を下回ると反射手段ＰＲの厚みが大きくなりすぎ、カメラに適用したときのカメラの薄型化が困難になる。更に好ましくは条件式（２）の数値範囲を次の如く設定すれば、カメラに適用したときのカメラの薄型化を図りつつ、高い光学性能を得るのが容易になる。
【００３３】
０．７＜｜ｆｎ／ＰＬ｜＜１．１  ・・（２ａ）
各実施例において、更に好ましくは次の条件式のうち１以上を満足するのが良い。ズーミングに際しての第１レンズ群Ｌ１と第２レンズ群Ｌ２の間隔の最大値をＤ１２ｍａｘとする。広角端における第１レンズ群Ｌ１の最も物体側のレンズ面から第２レンズ群Ｌ２の最も像側のレンズ面までの長さをＤ１２Ｗとする。第２レンズ群Ｌ２の焦点距離をｆ２、広角端における全系の焦点距離をｆｗとする。このとき、次の条件式のうち１以上を満足するのが良い。
【００３４】
０．０５＜Ｄ１２ｍａｘ／Ｄ１２Ｗ＜０．８０  ・・・（３）
５＜ｆ２／ｆｗ＜１５                      ・・・（４）
次に前述した各条件式の技術的意味について説明する。
【００３５】
条件式（３）はズーミングに際しての全ズーム範囲における第１レンズ群Ｌ１と第２レンズ群Ｌ２の間隔の最大値に対する広角端における第１レンズ群Ｌ１の物体側のレンズ面から第２レンズ群Ｌ２の像側のレンズ面までの厚さの比を規定している。条件式（３）の上限値をこえて、第１レンズ群Ｌ１と第２レンズ群Ｌ２の間隔が大きくなりすぎると、中間のズーム領域において像面湾曲が過補正になってくる。また下限値をこえて第１レンズ群Ｌ１と第２レンズ群Ｌ２の間隔が小さくなりすぎると、中間のズーム領域において像面湾曲を良好に補正することが困難になる。
【００３６】
更に好ましくは条件式（３）の数値範囲を次の如く設定すれば、中間のズーム領域において像面湾曲を更に良好に補正するのが容易になる。
【００３７】
０．０８＜Ｄ１２ｍａｘ／Ｄ１２Ｗ＜０．７０・・・（３ａ）
尚、条件式（３）に関する最大の間隔Ｄ１２ｍａｘのズーム位置は後述する数値実施例において次のとおりである。
【００３８】
数値実施例１では望遠端のズーム位置（ｆ＝７０．１２）
数値実施例２では中間のズーム位置（ｆ＝１２．１９）
数値実施例３では中間のズーム位置（ｆ＝２２．５８）
数値実施例４では中間のズーム位置（ｆ＝１０．０５）
数値実施例５では中間のズーム位置（ｆ＝８．９７）
である。
【００３９】
条件式（４）は第２レンズ群Ｌ２の焦点距離に対する広角端における全系の焦点距離の比を規定している。条件式（４）の上限値を超えて第２レンズ群Ｌ２の焦点距離が大きくなりすぎると、像面湾曲が増大し、これを補正するのが困難になる。また下限値を超えて第２レンズ群Ｌ２の焦点距離が短くなりすぎると、像面湾曲が過補正になってくる。更に望ましくは条件式（４）の数値範囲を次の如く設定すれば像面湾曲を良好に補正するのが更に容易になる。
【００４０】
６＜ｆ２／ｆｗ＜１３・・・（４ａ）
各実施例においては、第１レンズ群Ｌ１乃至第３レンズ群Ｌ３の屈折力を前述の如く設定し、ズーミングに際していずれも正の屈折力の第１レンズ群Ｌ１と第２レンズ群Ｌ２を移動させている。これにより高ズーム比化を容易に達成している。第１レンズ群Ｌ１と第２レンズ群Ｌ２はいずれも２以下のレンズより構成し、これによりカメラに適用したときのカメラ厚の薄型化を容易にしている。
【００４１】
以上、本発明の好ましい実施形態について説明したが、本発明はこれらの実施形態に限定されず、その要旨の範囲内で種々の変形及び変更が可能である。例えば、各実施例のズームレンズにおいて、ズーミングに伴うＦナンバーの変動を制御するため、ズーム位置に応じて開口絞りＳＰの絞り径の制御を行ってもよい。また、電子撮像素子を有するデジタルカメラの場合には、ズームレンズに残存する歪曲収差を電気的に補正（画像処理での補正）しても良い。
【００４２】
次に本発明のズームレンズを用いたデジタルカメラ（撮像装置）の実施形態を図１２を用いて説明する。図１２において、２０はデジタルカメラ本体、２１は上述の実施例のズームレンズによって構成された撮影光学系である。ＰＲは反射手段（反射プリズム）である。撮影光学系２１は被写体の像をＣＣＤ等の固体撮像素子上（光電変換素子上）２２に形成している。２３は撮像素子２２が受光した被写体の像を記録する記録手段、２４は不図示の表示素子に表示された画像を観察するためのファインダーである。
【００４３】
上記表示素子は液晶パネル等によって構成され、撮像素子２２上に形成された画像が表示される。このように本発明のズームレンズをデジタルカメラ等に適用することにより、カメラ厚が薄い携帯性の良い撮像装置を実現している。
【００４４】
以下、実施例１乃至５に対応する数値実施例１乃至５の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、ｖｄｉはそれぞれｄ線に対する第ｉ番目の光学部材の材料の屈折率、アッベ数である。ｆは焦点距離、ＦｎｏはＦナンバー、ωは半画角である。ＢＦはバックフォーカスであり、最終面から像面までの距離である。ここで、アッベ数νｄは以下の式であらわされる。
【００４５】
νｄ＝（Ｎｄ−１）／（ＮＦ−ＮＣ）
Ｎｄ：フラウンホーファー線のｄ線（波長５８７．６ｎｍ）に対する屈折率
ＮＦ：フラウンホーファー線のＦ線（波長４８６．１ｎｍ）に対する屈折率
ＮＣ：フラウンホーファー線のＣ線（波長６５６．３ｎｍ）に対する屈折率
非球面形状は、光の進行方向を正、ｘを光軸方向の面頂点からの変位量として、ｈを光軸と垂直な方向の光軸からの高さ、ｒを近軸曲率半径、Ｋを円錐定数、Ａ４、Ａ６、Ａ８を非球面係数とするとき、
ｘ＝（ｈ2／ｒ）／［１＋｛１−（１＋Ｋ）×（ｈ／ｒ）2｝1/2］＋Ａ４×ｈ4＋Ａ６×ｈ6＋Ａ８×ｈ8
なる式で表している。なお、数値の「Ｅ±ＸＸ」は「×１０±ＸＸ」を意味している。また、前述の各条件式と数値実施例との関係を（表１）に示す。
【００４６】
数値実施例  １
単位 mm
面データ
面番号       r        d      nd         νd       有効径
1         33.496    0.80   1.84666    23.8       20.24
2         21.645    0.20                         18.85
3         21.478    2.82   1.48749    70.2       18.67
4        204.566  (可変)                         17.79
5         26.841    2.26   1.66672    48.3       16.95
6        128.868  (可変)                         16.43
7      -1629.840    0.80   1.88202    37.2       13.09
8*         7.968    2.53                         10.60
9          ∞       9.80   1.84666    23.8       10.24
10          ∞       1.49                          7.44
11         -9.328    0.70   1.67003    47.2        7.00
12         23.885    0.23                          7.39
13         26.621    1.75   1.84666    23.8        7.63
14        -18.578  (可変)                          8.01
15(絞り)    ∞       0.50                          8.43
16*         7.805    2.31   1.54814    45.8        8.87
17         56.651    2.87                          8.52
18          8.128    3.63   1.49700    81.6        7.30
19         -7.420    1.96   1.84666    23.8        6.58
20        164.716    1.33                          6.34
21        -20.609    1.00   1.88300    40.8        6.20
22*        18.449    0.50                          7.20
23         13.097    2.44   1.71736    29.5        6.71
24        439.575  (可変)                          6.98
25*       176.378    2.32   1.53172    48.8        8.84
26*       -24.390    0.50                          9.19
27        -18.079    1.65   1.84666    23.8        9.13
28        -18.959  (可変)                          9.43
29          ∞       1.36   1.51633    64.2        9.32
30          ∞       2.47                          9.23
像面        ∞   
【００４７】
非球面データ
第8面
K = 0.00000e+000  A 4=-1.66853e-004  A 6= 1.94264e-007  A 8=-7.82296e-008
第16面
K = 0.00000e+000  A 4=-3.80395e-005  A 6= 1.62318e-007  A 8=-4.16954e-009
第22面
K = 0.00000e+000  A 4= 6.71301e-004  A 6= 2.58681e-006  A 8= 8.89983e-008
第25面
K = 0.00000e+000  A 4=-2.37982e-004  A 6=-1.01107e-005  A 8= 4.33372e-008
第26面
K = 0.00000e+000  A 4=-2.42179e-004  A 6=-9.11275e-006  A 8= 4.69272e-008
各種データ
ズーム比      9.96 
焦点距離       7.04    28.36    70.12    15.55    45.16  
Fナンバー      2.88     4.56     5.42     4.36     4.65  
半画角（度）   32.60     9.01     3.67    16.14     5.69  
像高           4.50     4.50     4.50     4.50     4.50  
レンズ全長    70.18    81.71    91.33    70.80    87.75  
BF             2.47     2.47     2.47     2.47     2.47  
d 4            0.20     0.20     1.55     0.22     0.42  
d 6            0.66    12.19    20.46     1.26    18.02  
d14           16.18     2.26     0.35     4.17     1.40  
d24            0.50     3.24    20.20     1.69     9.80  
d28            4.41    15.60     0.55    15.23     9.89  
入射瞳位置    15.08    45.53   116.90    14.63    84.93  
射出瞳位置   -23.81   -41.20  -140.27   -37.19   -57.18  
前側主点位置  20.24    55.48   152.58    24.09    95.90  
後側主点位置  -4.56   -25.89   -67.65   -13.08   -42.68  
ズームレンズ群データ
群  始面    焦点距離  レンズ構成長  前側主点位置  後側主点位置
1    1     147.58         3.82        -1.26         -3.76
2    5      50.40         2.26        -0.35         -1.70
3    7      -7.39        17.30         0.94        -10.74
4   15      14.24        16.55        -4.52        -12.85
5   25      42.68         4.47         3.03          0.09
GB   29       ∞           1.36         0.45         -0.45
単レンズデータ
レンズ  始面  焦点距離
1       1    -74.56
2       3     48.98
3       5     50.40
4       7     -8.99
PR       9      0.00
5      11     -9.93
6      13     13.16
7      16     16.24
8      18      8.46
9      19     -8.34
10      21    -10.89
11      23     18.77
12      25     40.46
13      27   -3267.14
GB      29      0.00
【００４８】
数値実施例  ２
単位 mm
面データ
面番号       r        d      nd         νd       有効径
1         39.783    1.10   1.84666    23.9       24.66
2         22.028    4.20   1.48749    70.2       22.23
3        180.348  (可変)                         20.56
4         26.543    2.40   1.77250    49.6       17.90
5        194.708  (可変)                         16.57
6*     -4308.012    1.05   1.84954    40.1       13.70
7*         7.227    3.50                         10.25
8        -13.875    0.60   1.88300    40.8        9.87
9         27.152    0.10                          9.95
10         21.164    1.80   1.94595    18.0       10.06
11        -26.803  (可変)                         10.04
12          ∞       8.20   1.83400    37.2        7.22
13          ∞     (可変)                          6.57
14        -13.844    0.60   1.88300    40.8        6.67
15        -21.472  (可変)                          6.93
16(絞り)    ∞       0.00                          7.23
17*         9.564    2.30   1.55332    71.7        7.90
18*       -36.381    2.00                          7.70
19         11.704    0.60   1.84666    23.9        6.99
20          8.025  (可変)                          6.69
21         21.872    2.10   1.48749    70.2        7.20
22         -8.062    0.60   1.77250    49.6        7.20
23        -13.843  (可変)                          6.10
24          ∞       0.70   1.48749    70.2        6.60
25         11.072  (可変)                          6.63
26         12.682    2.80   1.48749    70.2       10.26
27        -21.590    0.70   1.84666    23.9       10.17
28        -31.345  (可変)                         10.19
29          ∞       0.30   1.51633    64.1       22.00
30          ∞       1.60                         22.00
31          ∞       0.50   1.51633    64.1       22.00
32          ∞       0.49                         22.00
像面        ∞   
【００４９】
非球面データ
第6面
K =-1.75059e+003  A 4=-1.37685e-005  
第7面
K =-3.41076e-001  A 4= 1.20085e-005  
第17面
K =-1.65224e+000  A 4= 1.12820e-004  A 6= 1.53176e-007  A 8= 4.21725e-010
第18面
K = 1.41983e+001  A 4= 1.20284e-004  
各種データ
ズーム比     11.40 
焦点距離       5.13    18.71    58.41    12.19    39.16  
Fナンバー      3.22     5.24     6.32     5.12     5.68  
半画角（度）  33.63    11.70     3.80    17.64     5.65  
像高           3.41     3.88     3.88     3.88     3.88  
レンズ全長    79.99    83.65    93.49    79.28    90.98  
BF             0.49     0.49     0.49     0.49     0.49  
d 3            0.12     0.99     0.10     1.08     0.36  
d 5            0.81     8.06    19.33     2.32    16.54  
d11            6.00     1.54     1.00     2.84     1.01  
d13            0.80     0.80     0.80     0.80     0.80  
d15           15.02     3.51     0.50     7.39     0.97  
d20            2.37     1.59     0.78     2.02     0.98  
d23            1.32    13.61    17.43     9.30    16.77  
d25            8.52     8.26    10.85    14.02     6.43  
d28            6.78     7.05     4.46     1.28     8.88  
入射瞳位置    15.96    32.59   105.39    19.02    75.09  
射出瞳位置  -101.75  -677.45   185.71   120.39  -214.14  
前側主点位置  20.83    50.79   182.22    32.45   107.10  
後側主点位置  -4.64   -18.22   -57.92   -11.70   -38.67  
ズームレンズ群データ
群  始面    焦点距離  レンズ構成長  前側主点位置  後側主点位置
1    1     391.48         5.30        -7.45        -10.69
2    4      39.54         2.40        -0.21         -1.56
3    6      -7.74         7.05         0.48         -5.25
PR   12       ∞           8.20         2.24         -2.24
4   14     -45.83         0.60        -0.60         -0.93
5   16      19.78         4.90        -2.30         -5.35
6   21      23.63         2.70         1.15         -0.65
7   24     -22.71         0.70         0.47          0.00
8   26      20.91         3.50         0.63         -1.70
GB   29       ∞           2.40         1.06         -1.06
単レンズデータ
レンズ  始面  焦点距離
1       1    -60.00
2       2     51.03
3       4     39.54
4       6     -8.49
5       8    -10.33
6      10     12.73
PR     12      0.00
7      14    -45.83
8      17     13.94
9      19    -32.59
10      21     12.37
11      22    -26.17
12      24    -22.71
13      26     16.84
14     27    -84.73
GB     29      0.00
GB     31      0.00
【００５０】
数値実施例  ３
単位 mm
面データ
面番号       r        d      nd         νd       有効径
1         30.520    2.50   1.77250    49.6       26.14
2         56.297  (可変)                         24.89
3         17.000    1.10   1.84666    23.9       19.95
4         11.983    3.98   1.51633    64.2       17.12
5         97.110  (可変)                         16.65
6*        53.161    1.05   1.84954    40.1       13.81
7*         5.207    3.99                          9.24
8        -11.116    0.60   1.88300    40.8        8.90
9        434.065    0.10                          9.08
10         20.837    1.80   1.94595    18.0        9.22
11        -50.921  (可変)                          9.11
12          ∞       8.20   1.83400    37.2        6.76
13          ∞     (可変)                          5.63
14        -23.865    0.60   1.88300    40.8        5.78
15        -35.812  (可変)                          5.94
16(絞り)    ∞       0.00                          6.26
17*        10.535    2.30   1.55332    71.7        6.41
18*       -24.513    2.00                          6.37
19         11.150    0.60   1.84666    23.9        5.93
20          8.369  (可変)                          5.69
21         83.726    2.10   1.48749    70.2        5.66
22         -6.893    0.60   1.83481    42.7        5.78
23        -10.844  (可変)                          6.10
24       -102.459    0.70   1.56384    60.7        6.98
25         17.997  (可変)                          7.06
26         14.630    2.80   1.48749    70.2        9.98
27        -20.483    0.70   1.84666    23.9        9.91
28        -26.295  (可変)                          9.95
29          ∞       0.30   1.51633    64.1       22.00
30          ∞       1.60                         22.00
31          ∞       0.50   1.51633    64.1       22.00
32          ∞       0.30                         22.00
像面        ∞   
【００５１】
非球面データ
第6面
K =-5.45059e+000  A 4=-3.82163e-005  
第7面
K =-2.29795e-001  A 4=-9.85230e-006  
第17面
K =-1.78134e+000  A 4= 7.58162e-005  A 6= 3.36690e-007  A 8= 2.17480e-009
第18面
K = 5.36644e+000  A 4= 1.45781e-004  
各種データ
ズーム比      9.46 
焦点距離       5.16    22.58    48.80    14.76    38.48  
Fナンバー      3.50     5.11     5.74     5.36     5.33  
半画角（度）  33.46     9.74     4.54    14.71     5.75  
像高           3.41     3.88     3.88     3.88     3.88  
レンズ全長    76.09    85.03    88.05    80.66    87.73  
BF             0.30     0.30     0.30     0.30     0.30  
d 2            0.16     5.15     2.60     3.72     3.56  
d 5            0.19     7.86    14.73     3.70    13.20  
d11            6.07     2.36     1.06     3.57     1.31  
d13            0.80     0.80     0.80     0.80     0.80  
d15           12.73     0.84     0.93     4.20     0.49  
d20            1.30     1.30     1.30     1.30     1.30  
d23            0.90    12.79    12.70     9.42    13.13  
d25            9.31     6.86    12.17    13.12     8.51  
d28            6.21     8.66     3.35     2.40     7.01  
入射瞳位置    16.51    52.24   113.63    31.39    93.69  
射出瞳位置  -101.69  -279.29   137.23   143.32   2590.73  
前側主点位置  21.41    73.00   179.82    47.68   132.75  
後側主点位置  -4.86   -22.28   -48.50   -14.46   -38.18  
ズームレンズ群データ
群  始面    焦点距離  レンズ構成長  前側主点位置  後側主点位置
1    1      82.79         2.50        -1.60         -2.96
2    3      54.89         5.08        -1.85         -4.95
3    6      -6.15         7.54         0.73         -5.34
PR   12       ∞           8.20         2.24         -2.24
4   14     -82.97         0.60        -0.65         -0.98
5   16      17.21         4.90        -1.31         -4.60
6   21      30.02         2.70         1.94          0.19
7   24     -27.09         0.70         0.38         -0.07
8   26      21.34         3.50         0.86         -1.48
GB   29       ∞           2.40         1.06         -1.06
単レンズデータ
レンズ  始面  焦点距離
1       1     82.79
2       3    -53.31
3       4     26.06
4       6     -6.86
5       8    -12.27
6      10     15.82
PR      12      0.00
7      14    -82.97
8      17     13.63
9      19    -43.98
10      21     13.16
11      22    -24.35
12      24    -27.09
13      26     17.98
14      27   -115.85
GB      29      0.00
GB      31      0.00
【００５２】
数値実施例  ４
単位 mm
面データ
面番号       r        d      nd         νd       有効径
1         43.591    1.10   1.84666    23.9       25.86
2         22.955    4.20   1.48749    70.2       23.29
3        574.787  (可変)                         22.06
4         26.418    2.40   1.77250    49.6       18.67
5        189.670  (可変)                         17.66
6*      -274.095    1.05   1.84954    40.1       14.48
7*         8.381    3.50                         10.95
8        -14.343    0.60   1.88300    40.8       10.47
9         14.877    0.10                         10.42
10         15.314    1.80   1.94595    18.0       10.48
11        -30.094  (可変)                         10.47
12          ∞     (可変)                         11.70
13        -14.080    0.60   1.88300    40.8        6.90
14        -24.656  (可変)                          7.17
15(絞り)    ∞       0.00                          7.48
16*         9.732    2.30   1.55332    71.7        7.90
17*       -35.726    2.00                          7.70
18         11.334    0.60   1.84666    23.9        7.26
19          7.975  (可変)                          6.94
20         21.883    2.10   1.48749    70.2        7.20
21         -7.944    0.60   1.77250    49.6        7.20
22        -13.506  (可変)                          6.10
23       1137.772    0.70   1.48749    70.2        6.32
24         10.924  (可変)                          6.30
25         12.950    2.80   1.48749    70.2       10.53
26        -23.713    0.70   1.84666    23.9       10.42
27        -31.957  (可変)                         10.42
28          ∞       0.30   1.51633    64.1       22.00
29          ∞       1.60                         22.00
30          ∞       0.50   1.51633    64.1       22.00
31          ∞       0.21                         22.00
像面        ∞   
【００５３】
非球面データ
第6面
K =-1.77256e+003  A 4= 4.82652e-006  
第7面
K =-3.13430e-001  A 4= 2.53031e-006  
第16面
K =-1.65340e+000  A 4= 1.13233e-004  A 6= 3.49837e-007  A 8=-3.67839e-009  
第17面
K = 1.25994e+001  A 4= 1.27429e-004  
各種データ
ズーム比     11.38 
焦点距離       5.13    16.22    58.37    10.05    36.01  
Fナンバー      3.33     5.30     6.54     4.91     5.71  
半画角（度）  33.62    13.43     3.80    21.09     6.14  
像高           3.41     3.88     3.88     3.88     3.88  
レンズ全長    81.00    84.14    94.51    79.70    91.84  
BF             0.21     0.21     0.21     0.21     0.21  
d 3            0.12     0.88     0.10     0.95     0.33  
d 5            0.81     7.65    19.34     1.85    16.43  
d11           10.10     5.64     5.10     6.93     5.11  
d12            4.90     4.90     4.90     4.90     4.90  
d14           13.15     4.02     0.49     7.58     1.15  
d19            2.37     1.59     0.78     2.02     0.98  
d22            1.48    11.40    15.74     7.41    14.88  
d24           11.52    12.34    14.10    15.58    10.07  
d27            6.78     5.97     4.21     2.73     8.23  
入射瞳位置    16.48    33.22   122.42    18.83    82.85  
射出瞳位置  -607.52   158.20    92.45    96.93   340.74  
前側主点位置  21.56    51.11   217.74    29.92   122.67  
後側主点位置  -4.92   -16.02   -58.17    -9.84   -35.80  
ズームレンズ群データ
群  始面    焦点距離  レンズ構成長  前側主点位置  後側主点位置
1    1     319.67         5.30        -3.91         -7.27
2    4      39.48         2.40        -0.22         -1.56
3    6      -7.54         7.05         0.82         -4.72
MR   12       ∞           0.00         0.00         -0.00
4   13     -38.19         0.60        -0.44         -0.76
5   15      19.55         4.90        -2.15         -5.24
6   20      23.17         2.70         1.17         -0.63
7   23     -22.63         0.70         0.48          0.00
8   25      20.85         3.50         0.66         -1.66
GB   28       ∞           2.40         1.06         -1.06
単レンズデータ
レンズ  始面  焦点距離
1       1    -58.71
2       2     48.93
3       4     39.48
4       6     -9.56
5       8     -8.19
6      10     10.94
MR      12      0.00
7      13    -38.19
8      16     14.08
9      18    -34.62
10      20     12.24
11      21    -26.20
12      23    -22.63
13      25     17.62
14      26   -112.97
GB      28      0.00
GB      30      0.00
【００５４】
数値実施例  ５
単位 mm
面データ
面番号       r        d      nd         νd       有効径
1         39.896    1.10   1.84666    23.9       27.37
2         22.057    4.20   1.48749    70.2       24.50
3        214.366  (可変)                         23.55
4         26.499    2.60   1.77250    49.6       21.91
5        208.281  (可変)                         21.63
6*      -289.999    1.05   1.84954    40.1       15.06
7*         7.810    3.92                         11.22
8        -14.037    0.60   1.88300    40.8       10.85
9         25.294    0.10                         11.06
10         20.348    2.20   1.94595    18.0       11.23
11        -25.881  (可変)                         11.24
12          ∞       8.20   1.83400    37.2        5.95
13          ∞     (可変)                          6.44
14        -13.602    0.60   1.88300    40.8        6.50
15        -22.574  (可変)                          6.74
16(絞り)    ∞       0.00                          6.93
17*         9.456    2.30   1.55332    71.7        7.90
18*       -35.833    2.00                          7.70
19         11.706    0.60   1.84666    23.9        6.50
20          7.940  (可変)                          6.21
21         31.589    2.10   1.48749    70.2        7.20
22         -8.416    0.60   1.77250    49.6        7.20
23        -13.461  (可変)                          6.10
24       -110.888    0.70   1.48749    70.2        7.06
25          9.975  (可変)                          7.17
26         10.229    2.80   1.48749    70.2        9.70
27        -59.256    0.70   1.84666    23.9        9.54
28        -49.974  (可変)                          9.49
29          ∞       0.30   1.51633    64.1       22.00
30          ∞       1.60                         22.00
31          ∞       0.50   1.51633    64.1       22.00
32          ∞       0.35                         22.00
像面        ∞   
【００５５】
非球面データ
第6面
K =-1.77528e+003  A 4=-1.82618e-005  
第7面
K =-2.23810e-001  A 4=-2.32441e-005  
第17面
K =-1.58931e+000  A 4= 1.20322e-004  A 6= 2.78951e-007  A 8= 4.32048e-009  
第18面
K = 9.18241e+000  A 4= 1.38732e-004  
各種データ
ズーム比     11.36 
焦点距離       5.14    15.30    58.42     8.97    34.47  
Fナンバー      3.33     4.57     5.83     4.08     4.98  
半画角（度）  33.55    14.21     3.79    23.36     6.41  
像高           3.41     3.88     3.88     3.88     3.88  
レンズ全長    80.92    84.70    95.15    80.20    92.46  
BF             0.35     0.35     0.35     0.35     0.35  
d 3            0.12     0.70     0.20     0.81     0.33  
d 5            0.81     8.47    19.97     2.56    17.13  
d11           12.02     7.56     7.01     8.85     7.03  
d13            0.80     0.80     0.80     0.80     0.80  
d15           11.00     2.52     0.36     5.46     0.67  
d20            2.37     1.59     0.78     2.02     0.98  
d23            4.96    14.21    17.19    10.84    16.68  
d25            2.95     1.71     8.71     3.60     3.08  
d28            6.78     8.02     1.03     6.14     6.66  
入射瞳位置    17.13    37.22   147.01    20.87    96.31  
射出瞳位置   -48.45   -57.41   136.45   -79.31   -88.21  
前側主点位置  21.73    48.47   230.51    28.84   117.37  
後側主点位置  -4.79   -14.95   -58.07    -8.62   -34.12
ズームレンズ群データ
群  始面    焦点距離  レンズ構成長  前側主点位置  後側主点位置
1    1     341.13         5.30        -5.98         -9.27
2    4      39.06         2.60        -0.21         -1.67
3    6      -8.31         7.87         0.37         -6.13
PR   12       ∞           8.20         2.24         -2.24
4   14     -40.01         0.60        -0.50         -0.83
5   16      19.72         4.90        -2.37         -5.39
6   21      25.78         2.70         1.38         -0.41
7   24     -18.74         0.70         0.43         -0.04
8   26      17.45         3.50         0.47         -1.84
GB   29       ∞           2.40         1.06         -1.06
単レンズデータ
レンズ  始面  焦点距離
1       1    -59.96
2       2     50.08
3       4     39.06
4       6     -8.94
5       8    -10.15
6      10     12.33
PR     12      0.00
7      14    -40.01
8      17     13.77
9      19    -31.44
10      21     13.87
11      22    -30.65
12      24    -18.74
13      26     18.13
14      27    364.22
GB      29      0.00
GB      31      0.00
【００５６】
【表１】
2014081428.tif 000003
【符号の説明】
【００５７】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
Ｌ７  第７レンズ群      Ｌ８  第８レンズ群      ＬＲ  後群
ＰＲ  反射手段      ＳＰ  開口絞り
【図１】
2014081428.tif 000004
【図２】
2014081428.tif 000005
【図３】
2014081428.tif 000006
【図４】
2014081428.tif 000007
【図５】
2014081428.tif 000008
【図６】
2014081428.tif 000009
【図７】
2014081428.tif 000010
【図８】
2014081428.tif 000011
【図９】
2014081428.tif 000012
【図１０】
2014081428.tif 000013
【図１１】
2014081428.tif 000014
【図１２】
2014081428.tif 000015